(57)【要約】【課題】  窓の枠体に乾燥や劣化により割れが発生したり、窓の外から侵入しようとする者が窓の外枠と枠体との間にバール等を挿入して窓をこじ開けようとした場合でも、ヒンジの緩みを防止できる窓枠のヒンジ固定構造を提供する。【解決手段】  第１のヒンジアーム２２が、第１のヒンジ固定プレート３０の外側に位置する部分で固定部材３２の少なくとも１つを覆うため、第１のヒンジ固定プレート３０を窓の枠体１４に固定している固定部材３２が緩もうとしても、固定部材３２が第１のヒンジ固定プレート３０に抑えこまれ、第１のヒンジアーム２２の窓の枠体１４からの緩みを防止することができる。【選択図】  図２
0003147507.tif 000002
【実用新案登録請求の範囲】
【請求項１】
窓を回転自在に開閉するように支持する窓枠のヒンジ固定構造であって、
前記窓の外枠（１２）の内側面に固定されるヒンジプレート（１６）と、
前記窓の枠体（１４）の外側面にピボット（２０）で回転自在に取り付けられる第１のヒンジアーム（２２）と、
前記ヒンジプレート（１６）の上端部と前記第１のヒンジアーム（２２）の上端部とを回転自在に連結する第２のヒンジアーム（２４）と、
前記ヒンジプレート（１６）の下端部と前記第１のヒンジアーム（２２）の上端部から所定の距離下方の部位とを回転自在に連結する第３のヒンジアーム（２８）と、
前記第１のヒンジアーム（２２）の内側で前記窓の枠体（１４）の外側面に複数の固定部材（３２）で固定されると共に、前記ピボット（２０）を支持する第１のヒンジ固定プレート（３０）とを備え、
前記第１のヒンジアーム（２２）は、前記第１のヒンジ固定プレート（３０）の外側に位置する部分で前記複数の固定部材（３２）の少なくとも１つを覆うことを特徴とする窓枠のヒンジ固定構造。
【請求項２】
請求項１記載の窓枠のヒンジ固定構造において、
前記ヒンジプレート（１６）は、前記窓の外枠（１２）の外側面に固定される第２のヒンジ固定プレート（４０）に前記窓の外枠（１２）を貫通する固定部材（４４）で固定されることを特徴とする窓枠のヒンジ固定構造。
【請求項３】
請求項１又は２記載の窓枠のヒンジ固定構造において、
前記第１のヒンジ固定プレート（３０）は、中央部から斜め上方に所定の距離延びると共に該斜め上方方向の右端又は左端まで斜め下方に延びる溝（３８）が形成されていることを特徴とする窓枠のヒンジ固定構造。
【考案の詳細な説明】
【技術分野】
【０００１】
本考案は、窓を回転自在に開閉するように支持する窓枠のヒンジ固定構造に関する。
【背景技術】
【０００２】
窓の外枠の内側面に固定されるヒンジプレート、窓の枠体の外側面に固定される第１のヒンジアーム、ヒンジプレートに摺動自在に取り付けられた第２のヒンジアーム、及び一端において第１のヒンジアームに回転自在に連結されると共に他端においてヒンジプレートに回転自在に連結された第３のヒンジアームを備え、第１のヒンジアームが第３のヒンジアームを結合するピボットから離れたある点において第２のヒンジアームの一端に回転自在に連結された、窓の外枠に窓の枠体を調節自在に取り付けるための窓枠のヒンジが知られている（特公昭５９−０４９９９４号公報参照）。
【考案の開示】
【考案が解決しようとする課題】
【０００３】
上記の従来技術では、第１のヒンジアームは、窓の枠体の外側面に固定部材で固定されるが、窓の枠体に、乾燥や劣化によって割れが発生したり、外から侵入しようとする者が窓の外枠と窓の枠体との間にバール等を挿入してこじ開けようとして亀裂が発生すると、固定部材での固定が緩み、第１のヒンジアームの固定に緩みが生じるという問題がある。
【０００４】
本考案は、上記のように窓の枠体に割れや亀裂が生じた場合でも、ヒンジの緩みを防止することができる窓枠のヒンジ固定構造を提供することを目的とする。
【課題を解決するための手段】
【０００５】
本考案の窓枠のヒンジ固定構造は、窓を回転自在に開閉するように支持する窓枠のヒンジ固定構造であって、前記窓の外枠の内側面に固定されるヒンジプレートと、前記窓の枠体の外側面にピボットで回転自在に取り付けられる第１のヒンジアームと、前記ヒンジプレートの上端部と前記第１のヒンジアームの上端部とを回転自在に連結する第２のヒンジアームと、前記ヒンジプレートの下端部と前記第１のヒンジアームの上端部から所定の距離下方の部位とを回転自在に連結する第３のヒンジアームと、前記第１のヒンジアームの内側で前記窓の枠体の外側面に複数の固定部材で固定されると共に、前記ピボットを支持する第１のヒンジ固定プレートとを備え、前記第１のヒンジアームは、前記第１のヒンジ固定プレートの外側に位置する部分で前記複数の固定部材の少なくとも１つを覆うことを特徴とする。
【０００６】
本考案によれば、第１のヒンジアームは、第１のヒンジ固定プレートの外側に位置する部分で固定部材の少なくとも１つを覆うので、第１のヒンジ固定プレートを窓の枠体に固定している固定部材が緩もうとしても、固定部材が第１のヒンジ固定プレートに抑えこまれるため、第１のヒンジアームの窓の枠体からの緩みを防止することができる。
【０００７】
また、本考案の窓枠のヒンジ固定構造は、前記ヒンジプレートは、前記窓の外枠の外側面に固定される第２のヒンジ固定プレートに前記窓の外枠を貫通する固定部材で固定されることが好ましい。
【０００８】
この好ましい形態によれば、窓の外枠の内側面にヒンジプレートを固定している固定部材が緩んだ場合であっても、窓の外枠の外側面に固定される第２のヒンジ固定プレートに窓の外枠を貫通する固定部材で固定されるため、ヒンジプレートの窓の外枠からの緩みを防止することができる。
【０００９】
また、本考案の窓枠のヒンジ固定構造は、前記第１のヒンジ固定プレートは、中央部から斜め上方に所定の距離延びると共に該斜め上方方向の右端又は左端まで斜め下方に延びる溝部が形成されていることが好ましい。
【００１０】
この好ましい形態によれば、第１のヒンジ固定プレートの固定部材が緩んだ場合にも溝に第１のヒンジアームのピボットが引っ掛かるため、第１のヒンジアームのピボットの窓の枠体からの緩みを防止することができる。
【考案を実施するための最良の形態】
【００１１】
図１は、本考案の窓枠のヒンジ固定構造が適用される窓の斜視図である。この窓は、左右一対のヒンジ１０で回転自在に開閉するように支持されている。ヒンジ１０は、窓の外枠１２に固定されていると共に、窓ガラス板１３を嵌め込んだ枠体１４に回転自在に取り付けられている。以下、本考案の窓枠のヒンジ固定構造は、左右で対照であるため左側の窓枠のヒンジ固定構造について説明する。
【００１２】
図２及び図３は、本考案の窓枠のヒンジ固定構造が適用されるヒンジ及び窓枠のヒンジ固定構造を説明するための図である。図２は、本考案の窓枠のヒンジ固定構造が適用されるヒンジの側面図である。図３は、図２のIII−III線断面図である。
【００１３】
ヒンジ１０は、以下の部材から構成されている。
【００１４】
第１の部材は、窓の外枠１２の内側に固定され、上下方向に延びる細長板状に形成されたヒンジプレート１６である。ヒンジプレート１６の下端部は、図２において右方向に湾曲している。そして、ヒンジプレート１６は、外枠１２の内側から複数の固定部材（図の例では、３本のねじ）１８で外枠１２に固定されている。
【００１５】
第２の部材は、窓の枠体１４の前側面（外側面）に下端部に取り付けられたピボット２０で回転自在に支持された細長板状の第１のヒンジアーム２２である。ピボット２０は、円柱状に形成され、第１のヒンジアーム２２から後方に突出するように、かしめ、又は溶着等で第１のヒンジアーム２２の下端部に固定されている。
【００１６】
第３の部材は、ヒンジプレート１６の上端部と第１のヒンジアーム２２の上端部とを回転自在に連結する細長板状に形成されている第２のヒンジアーム２４である。ヒンジプレート１６の上端部及び第１のヒンジアーム２２の上端部と第２のヒンジアーム２４とは、ジョイント２６で回転自在に連結されている。ジョイント２６は、例えば、ヒンジプレート１６の上端部及び第１のヒンジアーム２２の上端部に形成されている孔より大径である円柱状のフランジ、フランジの後方に延びるヒンジプレート１６及び第１のヒンジアーム２２の孔に嵌合する円柱本体、並びにヒンジプレート１６及び第１のヒンジプアーム２２の後方に位置して円柱本体がヒンジプレート１６及び第１のヒンジプアーム２２から脱落しないように円柱本体を係止する止め輪から構成される。
【００１７】
第４の部材は、ヒンジプレート１６の下端部と第１のヒンジアーム２２の上端部から所定の距離下方の第１のヒンジアーム２２の部位と回転自在に連結する細長板状に形成されている第３のヒンジアーム２８である。ヒンジプレート１６の下端部と第３のヒンジアーム２８の下端部、及び前記第１のヒンジアーム２２の部位と第３のヒンジアーム２８の上端部は、ジョイント２６で回転自在に連結されている。
【００１８】
次に、第１のヒンジアーム２２のピボット２０を軸支する第１のヒンジ固定プレート３０について説明する。第１のヒンジ固定プレート３０は、第１のヒンジアーム１６の内側で窓の枠体１４の前側面（外側面）に３本のねじ等の固定部材３２で取り付けられている。第１のヒンジ固定プレート３０のねじ等の固定部材３２の少なくとも１本は、第１のヒンジアーム２２に覆われている。
【００１９】
図４は、第１のヒンジ固定プレートを示す斜視図である。第１のヒンジ固定プレート３０は、矩形板状に形成されている。左右端部のそれぞれには、左右端から張り出している張出部３４，３４が形成されている。第１のヒンジ固定プレート３０の上左右部のそれぞれには、皿状の座ぐりを有する孔３６，３６が設けられている。また、第１のヒンジ固定プレート３２の下右部には、皿状の座ぐりを有する孔３６が設けられている。第１のヒンジ固定プレート３０は、中央部から斜め上方に所定の距離延びると共にこの斜め上方方向の右端又は左端まで斜め下方に延びる溝３８が形成されている。
【００２０】
次に、図２及び図３に戻って、ヒンジプレート１６を窓の外枠１２に取り付けるための第２のヒンジ固定プレート４０について説明する。第２のヒンジ固定プレート４０は、窓の外枠１２の前側面（外側面）で横長となるように２本のねじ等の固定部材４２で固定されている。ヒンジプレート１６は、第２のヒンジ固定プレート４０に窓の外枠１２を貫通するボルト等の固定部材４４で固定されている。
【００２１】
図５は、第２のヒンジ固定プレートを示す斜視図である。第２のヒンジ固定プレート４０は、長方形板状に形成されている。第２のヒンジ固定プレート４０の左右部それぞれには、皿状の座ぐりを有する孔４６，４６が設けられている。第１のヒンジ固定プレート３０の中央部から左寄りに、ねじ孔が形成されているねじ孔部材４８が第１のヒンジ固定プレート本体３８にかしめられている。ねじ孔部材４８の裏面には、ボルト等の固定部材４４が出っ張らないように皿状の座ぐりが形成されている。
【００２２】
以上、本実施形態によれば、第１のヒンジアーム２２は、第１のヒンジ固定プレート３０の外側に位置する部分で固定部材３２の少なくとも１つを覆うので、第１のヒンジ固定プレート３０を窓の枠体１４に固定している固定部材３２が緩もうとする際に、固定部材３２が第１のヒンジ固定プレート３０に抑えこまれるため、第１のヒンジアーム２２の窓の枠体１４からの緩みを防止することができる。
【００２３】
また、本実施形態によれば、ヒンジプレート１６は、窓の外枠１２の前側面（外側面）に固定部材４２で固定される第２のヒンジ固定プレート４０に窓の外枠１２を貫通する固定部材４４で固定されるので、窓の外枠１２の内側面にヒンジプレート１６を固定している固定部材１８が緩んだ場合であっても、窓の外枠１２の外側面に固定される第２のヒンジ固定プレート４０に窓の外枠１２を貫通する固定部材４４で固定されるため、ヒンジプレート１６の窓の外枠１２からの緩みを防止することができる。
【００２４】
また、本実施形態によれば、第１のヒンジ固定プレート３０は、中央部から斜め上方に所定の距離延びると共にこの斜め上方方向の右端又は左端まで斜め下方に延びる溝部３８が形成されているので、第１のヒンジ固定プレート３０の固定部材３２が緩んだ場合にも溝部３８に第１のヒンジアーム２２のピボット２０が引っ掛かるため、第１のヒンジアーム２２のピボット２０の窓の枠体１４からの緩みを防止することができる。
【図面の簡単な説明】
【００２５】
【図１】本考案の窓枠のヒンジ固定構造が適用される窓の斜視図である。
【図２】本考案の窓枠のヒンジ固定構造が適用されるヒンジの側面図である。
【図３】図１のIII−III線断面図である。
【図４】第１のヒンジ固定プレートを示す斜視図である。
【図５】第２のヒンジ固定プレートを示す斜視図である。
【符号の説明】
【００２６】
１０…ヒンジ、１２…窓の外枠、１４…窓の枠体、１６…ヒンジプレート、１８…固定部材、２０…ピボット、２２…第１のヒンジアーム、２４…第２のヒンジアーム、２６…ジョイント、２８…第３のヒンジアーム、３０…第１のヒンジ固定プレート、３２…固定部材、３４…張出部、３６…孔、３８…溝、４０…第２のヒンジ固定プレート、４２…固定部材、４４…固定部材、４６…孔、４８…ねじ孔部材。
【図１】
0003147507.tif 000003
【図２】
0003147507.tif 000004
【図３】
0003147507.tif 000005
【図４】
0003147507.tif 000006
【図５】
0003147507.tif 000007